(57)【要約】【課題】長期間使用しても高い信頼性を確保できる回転清掃体を提供する。【解決手段】回転清掃体は、外周面に軸方向に沿った係合凹部が周方向に間隔をおいて複数設けられた円筒状のブラシ台と、係合凹部に基端側が係止されてブラシ台の外周面に軸方向に沿ってかつ径方向に突出して取り付けられたブラシおよびブレードと、ブラシ台の中心に挿通されたシャフトと、シャフトに取り付けられた受体５３とを備えている。受体５３には、ブラシ台の端面に対向する対向面５３Ｂに係止爪部５５が形成されている。そして係止爪部５５がブラシ台の係合凹部間に嵌合して、ブラシ台をシャフトに固定するとともに、ブラシおよびブレードが係合凹部の軸方向端部から抜けるのを抑制する。このような回転清掃体において、受体５３の係止爪部５５の基部に凹状曲面５５Ａを形成するとともに、対向面５３Ｂ上にブラシ台の端面に当接する凸部５３Ｂを形成する。【選択図】        図１
2004229970.tif 000002
【特許請求の範囲】
【請求項１】
外周面に軸方向に沿った凹状の取付凹部が周方向に間隔をおいて複数設けられた円筒状の取付部材と、
前記取付部材の取付凹部に基端側が係止されて、この取付部材の外周面に軸方向に沿ってかつ径方向に突出して取り付けられた清掃部材と、
前記取付部材の中心に挿通された軸体と、
前記軸体に取り付けられ、前記取付部材の端面に対向して、その対向面に形成された複数の嵌合突起が前記取付部材の取付凹部間に嵌合して、前記清掃部材が前記取付凹部の軸方向端部から抜けることを抑制する一方、前記軸体周りに回動して、前記取付部材にねじりを加えた状態で当該取付部材を前記軸体に固定する保持部材とを備えた回転清掃体であって、
前記保持部材の嵌合突起の基部に凹状曲面を形成するとともに、前記対向面上に前記取付部材の端面に当接する凸部を形成したことを特徴とする回転清掃体。
【請求項２】
被掃除面と対向する下面に吸込口を開口したケース体と、
前記ケース体に前記被掃除面に対向して回転自在に軸支された回転清掃体とを備えた電気掃除機の吸込口体において、
前記回転清掃体として、請求項１に記載の回転清掃体を備えたことを特徴とする電気掃除機の吸込口体。
【発明の詳細な説明】
【０００１】
【発明の属する技術分野】
本発明は、外周面に軸方向に沿ってかつ径方向に突出した清掃部材が取り付けられた回転清掃体、およびこの回転清掃体を備えた電気掃除機の吸込口体に関する。
【０００２】
【従来の技術】
従来、この種の回転清掃体は、外周面に軸方向に沿って螺旋状に巻回した断面凹状の複数の取付凹部としての係合凹部が設けられた細長円筒状のシャフトを備えている。このシャフトの各係合凹部は、このシャフトの周方向に沿って互いに等間隔に離間された位置に設けられている。また、このシャフトは、アルミニウムによるねじり押し出し成形により各係合凹部が螺旋状にねじられて成形されている。
【０００３】
さらに、これら各係合凹部のそれぞれには、細長断面三角形状の清掃部材としてのブレードの基端側が長手方向に沿って挿入されて係合されている。そして、これら各ブレードは、これら各ブレードの基端側がシャフトの各係合凹部に係止されて、このシャフトの外周面に対して螺旋状に巻回した状態で壁状に突出している。
【０００４】
また、シャフトの中心には、このシャフトの軸方向に沿ったピン挿通孔が貫通した状態で開口されている。このピン挿通孔には、細長棒状の軸体としてのピンが圧入されて一体的に取り付けられている。そして、このピンは、シャフトの両端面から両端部のそれぞれが突出した状態でこのシャフトのピン挿通孔に挿通されている（例えば、特許文献１参照）。
【０００５】
ところで、上記回転清掃体では、シャフトに設けられた各係合凹部を螺旋状に形成するために、このシャフトをアルミニウムによるねじり押し出し加工によって成形している。
【０００６】
しかし、シャフトをねじり押し出し加工で成形すると、歪みなどの発生によりシャフトの精度確保が難しくなり、このシャフトを有する回転清掃体を回転させた際にぶれが生じやすいという問題を有していた。
【０００７】
そこで、図１２に示すように、取付部材としての円筒状のブラシ台１の外周面に軸方向に沿って凹状の係合凹部２を設けるとともに、係合凹部２に清掃部材（図示省略）の基端側を係止させて、この清掃部材をブラシ台１の外周面に軸方向に沿ってかつ径方向に突出して取り付け、さらにブラシ台１の中心にシャフト３を挿通させた後、ブラシ台１のシャフト３周りにねじりを加えて係合凹部２を螺旋状とした回転清掃体が考えられている。このようにすれば、シャフト３をねじり押し出し加工しなくてよいから、シャフトの精度確保が容易となり、回転清掃体の回転時のぶれが生じにくくなる。なお、図１２においては、ブラシ台１にねじりを加える以前の状態を示している。
【０００８】
また、上記回転清掃体において、ブラシ台２の両端には受体４が設けられている。図１２ではブラシ台１の一側（図の右側）のみに受体４がみ示してあるが、ブラシ台１の他側（図の左側）にも同様な受体４が設けられる。
【０００９】
受体４は挿通孔５を有し、この挿通孔５にシャフト３が挿通される。また、受体４にはブラシ台１の端面に対向する対向面４Ａに複数の係止爪部６が形成され、これら係止爪部６をブラシ台１の係合凹部２間に嵌合させることにより、ブラシ台１をシャフト３に固定するとともに、清掃部材が係合凹部２の軸方向端部から抜けるのを抑制している。
【００１０】
【特許文献１】
特公平６−８５７５２号公報（第２頁、図２および図３）
【００１１】
【発明が解決しようとする課題】
しかしながら、上記回転清掃体では、係止爪部６の基部に応力集中が生じて、係止爪部６が折損する恐れがある。すなわち、ブラシ台１はねじりが加えられた状態で、受体４によってシャフト３に固定されているために、ブラシ台１の内部には元に戻ろうとする力が働いている。この力はブラシ台１から受体４の係止爪部６に常に作用しているが、係止爪部６は対向面４Ａと直角をなし、係止爪部６の基部付近に角部が形成されているために、ブラシ台１から長期間常に力を受けていると、係止爪部６の基部付近の角部に生じる応力集中によって、係止爪部６が折損することがあり、信頼性の点で問題がある。
【００１２】
本発明の課題は、長期間使用しても高い信頼性を確保できる回転清掃体、およびこの回転清掃体を備えた電気掃除機の吸込口体を提供することにある。
【００１３】
【課題を解決するための手段】
上記課題を解決するために、本発明の特徴部分は、嵌合突起の基部に応力集中が生じるのを回避できる構成にしたことである。例えば、本発明は、外周面に軸方向に沿った凹状の取付凹部が周方向に間隔をおいて複数設けられた円筒状の取付部材と、前記取付部材の取付凹部に基端側が係止されて、この取付部材の外周面に軸方向に沿ってかつ径方向に突出して取り付けられた清掃部材と、前記取付部材の中心に挿通された軸体と、前記軸体に取り付けられ、前記取付部材の端面に対向して、その対向面に形成された複数の嵌合突起が前記取付部材の取付凹部間に嵌合して、前記清掃部材が前記取付凹部の軸方向端部から抜けることを抑制する一方、前記軸体周りに回動して、前記取付部材にねじりを加えた状態で当該取付部材を前記軸体に固定する保持部材とを備えた回転清掃体であって、前記保持部材の嵌合突起の基部に凹状曲面を形成するとともに、前記対向面上に前記取付部材の端面に当接する凸部を形成したことを特徴としている。
【００１４】
上記構成によれば、嵌合突起の基部に凹状曲面を形成したので、嵌合突起に外力が作用しても、その外力を分散させることができ、嵌合突起の基部に応力集中が生じるのを回避することができる。
【００１５】
この場合、凹状曲面を形成すると、凹状曲面の分だけ嵌合突起の基部が横方向に広がるので、嵌合突起を取付部材の取付凹部間に嵌合させようとしても、嵌合突起の基部が取付部材の端面に干渉してしまう。この干渉するのを防ぐためには、取付部材の端面と保持部材の端面（対向面）との間に隙間を設けるようにすればよいが、このような隙間があると清掃部材が取付凹部の軸方向に移動してしまい、回転清掃体に回転時にぶれが生じる。
【００１６】
上記構成によれば、対向面上に取付部材の端面に当接する凸部を形成したので、清掃部材の取付凹部の軸方向への移動を阻止することができる。
【００１７】
また、本発明は、電気掃除機の吸込口体において、上記回転清掃体を備えたことを特徴としている。
【００１８】
【発明の実施の形態】
以下、本発明の実施の形態を図面に従って説明する。
図１１は、本発明に係る吸込口体を有する電気掃除機を示している。図１１において、１１は掃除機本体で、この掃除機本体１１は、内部に収容された電動送風機１２の駆動にて生じる吸気風とともに吸い込んだ塵埃を、着脱可能な図示しない集塵パックにて集塵する。
【００１９】
また、この掃除機本体１１は、上面を開口した合成樹脂製の下部ケース１３を備えており、この下部ケース１３の上面には、この下部ケース１３の上面の一部を開閉可能に閉塞する合成樹脂製の開閉蓋を有する上部ケース１４が設けられている。ここで、この下部ケース１３と上部ケース１４とにより本体ケース１５が構成されている。
【００２０】
そして、この本体ケース１５の走行方向における前側下面には、旋回自在かつ回転可能な図示しない旋回輪が取り付けられている。また、この本体ケース１５の走行方向における後側側面には、大径の従動後輪１６が回転自在に設けられている。よって、この本体ケース１５は、旋回輪および従動後輪１６により被掃除面としての床面を走行可能である。
【００２１】
さらに、この本体ケース１５の前側略中央には、外部から空気を吸引する本体吸込口１７が開口されている。この本体吸込口１７には、湾曲可能な細長略円筒状の接続管としてのホース体１８が接続されている。このホース体１８の先端には、電動送風機１２の動作モードなどが選択可能な手許操作部１９が設けられている。この手許操作部１９には、掃除機本体１１内の電動送風機１２などの駆動状態を所定の状態に設定する複数の設定ボタン２０が設けられているとともに、掃除する際に作業者が把持する把持部２１が基端側に向けて突設されている。
【００２２】
また、この手許操作部１９の先端には、伸縮可能な細長略円筒状の延長管２２が着脱可能に接続されている。さらに、この延長管２２の先端には、例えば室内の床面の絨毯などの上に設置させて、この絨毯上の塵埃を吸い込む吸込口体２３が着脱可能に接続されている。
【００２３】
次に、吸込口体２３の構成について詳細に説明する。図２および図３は吸込口体２３の内部構成を示しており、図２はその縦断面図、図３は横断面図である。
【００２４】
吸込口体２３は、図２および図３に示すように、その走行方向に対して直角方向に横長で、後部略中央が後方に向けて突出する凸字状のケース体２４を備えている。このケース体２４は、合成樹脂製の上面を開口した下部ケース２５と、この下部ケース２５の上部に上面の開口を覆い同材質の下面を開口する上部ケース２６とが、下部ケース２５および上部ケース２６の前面を含む周面に沿って軟質部材の緩衝体としてのバンパ２７を挟持して結合固定されている。
【００２５】
また、ケース体２４の下部ケース２５における被掃除面としての床面と対向する下面には、細長矩形状の吸込口２８が開口形成されている。この吸込口２８は、ケース体２４の走行方向の前側に偏位した位置に設けられており、このケース体２４の走行方向に対する幅方向に沿った長手方向を有した横長矩形状に形成されている。
【００２６】
さらに、ケース体２４の内部における吸込口２８の上方には、この吸込口２８に連通した吸気室２９が区画形成されている。また、この吸気室２９の後側には、ケース体２４の後部略中央に開口した連通口３０に連通した風路室３１が区画形成されている。この風路室３１は、吸気室２９の後側に連通している。そして、ケース体２４の連通口３０には、周方向に向けて回転可能な屈曲した円筒状の連通管３２が連通接続されている。この連通管３２は、延長管２２の先端部に着脱可能に連通接続されている。
【００２７】
一方、ケース体２４の後部の両側には、走行方向に向けて回転可能な一対の従動輪３３が取り付けられている。この従動輪３３は、ケース体２４を走行可能にする。
【００２８】
さらに、このケース体２４の吸気室２９の内部には、細長略円筒状の回転清掃体としての回転ブラシ３４が走行方向に向けて回転自在に軸支されて配設されている。
【００２９】
回転ブラシ３４は、その中心軸に垂直な面で切ると、図４に示すような形状をなしており、中心部には取付部材としてのブラシ台３５が設けられている。このブラシ台３５は、図６に示すように、細長略円筒状に形成され、その外周面には軸方向に沿って断面略凹状の取付凹部としての係合凹部３６が複数（例えば４つ）設けられている。
【００３０】
なお、ブラシ台３５の各係合凹部３６は、周方向に間隔をおいて等間隔な状態で直線状に設けられている。また、このブラシ台３５は、変形可能、すなわちねじり加工が可能な程度の可撓性を有する部材、例えばプラスチックやポリエチレンなどの硬質な部材などにて押出成形されて形成されている。さらに、このブラシ台３５は、このブラシ台３５を周方向に向けて螺旋状にねじった状態で熱を加えて、３０℃以上の温度差を与えた後に冷ましてヒートショックさせることにより、このねじった状態がある程度保持される。
【００３１】
そして、このブラシ台３５の各係合凹部３６は、図５に示すように、内部が周方向に幅広となる拡大部３７Ａと、この拡大部３７Ａから外周面に連通する幅狭な連通部３７Ｂとを有し、断面形状が先端幅狭の凹状に形成されている。ここで、これら係合凹部３６の拡大部３７Ａは、基端側が断面凹弧状に形成されており、先端側の内縁が基端側に対向した平面状に形成されている。
【００３２】
さらに、これら各係合凹部３６それぞれの間には、軸方向に沿った断面略凹状の係止凹部３８がそれぞれ形成されている。この係止凹部３８は、基端側から先端側に向かうに連れて徐々に拡開したテーパ状に形成されている。また、ブラシ台３５には、軸方向の両端部に径方向に貫通する貫通孔としてのシャフト挿通孔３９が貫通した状態で穿設されている。
【００３３】
一方、ブラシ台３５の各係合凹部３６には、清掃部材であるブラシ部材４１および清掃部材である掻取部材４２のそれぞれの基端側が周方向に沿って交互に係止されて取り付けられている。また、これらブラシ部材４１および掻取部材４２のそれぞれは、ブラシ台３５の外周面にこのブラシ台３５の軸方向に沿って壁状に突出して取り付けられている。
【００３４】
そして、ブラシ部材４１は、軟質塩化ビニルなどにてブラシ台３５の係合凹部３６の断面形状と略同形状に、この係合凹部３６に係脱可能に形成された細長略板紙のブラシ取付部４３を備えている。また、このブラシ取付部４３の表面部には、ブラシ毛４４が長手方向に沿って壁状に植設されている。
【００３５】
また、掻取部材４２は、例えば軟質塩化ビニルなどにて細長平板状で長手方向の一側両面に肉厚に膨出する掻き出し部４５を断面凹凸状に設けた弾性を有するブレード４６を備えている。そして、このブレード４６の長手方向の他縁には、このブレード４６と同材質にて一体に細長略平板状のブレード取付部４７が形成されている。このブレード取付部４７の幅は、ブラシ部材４１のブラシ取付部４３の幅と略等しい。
【００３６】
さらに、ブラシ台３５のシャフト挿通孔３９には、図７に示すような例えば鋼鉄やステンレス鋼（ＳＵＳ）などの金属にて成形された中空パイプ状の軸体としての回転軸であるシャフト５１が挿通される。そして、このシャフト５１は、ブラシ台３５より硬質な部材にて成形されており、このブラシ台３５の両端部からこのシャフト５１の両端部のそれぞれを突出させた状態で、このブラシ台３５のシャフト挿通孔３９に挿通されている。
【００３７】
また、このシャフト５１の両端部には、このシャフト５１の径方向に向けて貫通したピン挿通孔５２が穿設されている。これらピン挿通孔５２は互いに平行に形成されており、シャフト５１をブラシ台３５のシャフト挿通孔３９に挿通させた際に、このブラシ台３５の両端部から突出する位置に設けられている。さらに、シャフト５１の各ピン挿通孔５２よりも両端側には、このシャフト５１の周方向に沿った断面凹溝状の係合溝部５０が形成されている。そして、これら係合溝部５０の外周面は、シャフトを回転させた際の抵抗を少なくするために研磨加工されている。
【００３８】
一方、ブラシ台３５は、係合凹部３６にブラシ部材４１のブラシ取付部４３および掻取部材４２のブレード取付部４７のそれぞれが挿入された状態で、図２に示すように、両端部が周方向に向けてスパイラル状である螺旋状にねじられている。
【００３９】
本実施の形態では、ブラシ台３５にねじりを加え、その状態を維持するために、シャフト５１の両端に、図８および図９に示すような保持部材としての略円筒状の受体５３がシャフト５１と同軸状に取り付けられている。この受体５３は、ブラシ台３５よりも硬質な材料により成形されている。
【００４０】
受体５３の中心部には、シャフト５１の端部が挿通される挿通孔５４が設けられており、この挿通孔５４の一側の開口縁には嵌合突部としての係止爪部５５が複数（例えば４つ）略等間隔で設けられている。これら係止爪部５５は、受体５３の一側端面５３Ａをブラシ台３５の端面３５Ａ（図６参照）に対向させた際に、ブラシ台３５の各係止凹部３８に嵌合される。
【００４１】
係止爪部５５は、受体５３の挿通孔５４の開口方向である軸方向に沿って突出しており、ブラシ台３５の係止凹部３８に合致した断面形状を有している。さらに、これら係止爪部５５は、ブラシ台３５の端面３５Ａに受体５３の一側端面５３Ａを対向させた際に、受体５３の各係止爪部５５がブラシ台３５の各係止凹部３８にそれぞれ嵌合される。
【００４２】
また、ブラシ台３５のシャフト挿通孔３９および受体５３の挿通孔５４にシャフト５１を挿通させ、さらに受体５３の係止爪部５５をブラシ台３５の各係止凹部３８に嵌合させた状態で、受体５３をシャフト５１を中心に周方向に回動させれば、ブラシ台５３をねじることができる。
【００４３】
本実施の形態では、図１に示すように、係止爪部５５の基部、つまり受体５３の一側端面５３Ａ上に設けられた係止爪部５５の根元部分に凹状曲面５５Ａが形成されている。この凹状曲面５５Ａは係止爪部５５の根元部分の全周に亘って形成されている。さらに、本実施の形態では、受体５３の一側端面５３Ａ上で係止爪部５５と係止爪部５５との間に凸部５３Ｂが形成されている。図１０に示すように、凸部５３Ｂの高さｈは、係止爪部５５根元の凹状曲面５５Ａの曲率半径ｒ以上に設定されている。
【００４４】
また、受体５３の一側端面５３Ａには挿通孔５４の周方向に沿って突出した円環状の鍔部５６が設けられている。鍔部５６は、ブラシ台３５の最大外径よりも若干大きな外径寸法を有している。
【００４５】
そして、受体５３の各係止爪部５５をブラシ台３５の各係止凹部３８にそれぞれ嵌合させて、受体５３の一側端面５３Ａをブラシ台３５の端面３５Ａに対向させると、ブラシ台３５の係合凹部３６の両端部は、受体５３の一側端面５３Ａに形成された凸部５３Ｂで封止される。これにより、ブラシ部材４１および掻取部材４２が係合凹部３６の軸方向端部から抜けるのを抑制することができる。
【００４６】
また、受体５３の他端部には、押通孔５４の周方向に沿って突出した円環状の鍔部５７が設けられている。さらに、この鍔部５７の外周両側には、円筒状の筒部５９が同心状に取り付けられている。そして、この筒部５９の内部には、図３に示すように、矩形筒状の軸受５８が嵌合されている。この軸受５８は、シャフト５１の端部に嵌合されて、このシャフト５１の端部を回転自在に支持する。なお、受体５３の筒部５９は、軸受５８の外周面を覆って、この軸受５８への塵埃などの侵入を防止する。
【００４７】
ここで、吸込口体２３のケース体２４の吸気室２９の走行方向に対する両側縁のそれぞれには、一対の軸支凹部６１が形成されている。これら軸支凹部６１のそれぞれには、受体５３の筒部５９に嵌合されてシャフト５１の両端部を回転自在に固定した軸受５８のそれぞれが嵌合されている。その結果、これら軸受５８は、一対の軸支凹部６１問にシャフト５１を回転自在に支持することができる。
【００４８】
また、受体５３の外側面には、図１および図８に示すように、鍔部５６と鍔部５７との中間位置に、挿通孔５４の周方向に沿って突出した円環状の鍔部５３Ｃが設けられている。さらに、受体５３には鍔部５３Ｃと鍔部５７との間に、ピン挿通孔６２が穿設されている。このピン挿通孔６２は、受体５３の径方向に向けて貫通している。また、ピン挿通孔６２は、ブラシ台３５の両端部を互いに対向する方向に周方向に向けて螺旋状に所定距離ねじることにより、シャフト５１のピン挿通孔６２に連通される。このとき、このブラシ台３５のシャフト挿通孔３９にはシャフト５１が挿通されており、このシャフト５１の両端部は受体５３の挿通孔５４にそれぞれ挿通され、かつこれら受体５３の係止爪部５５がブラシ台３５の各係止凹部３８に嵌合されている。
【００４９】
そして、これらピン挿通孔６２は、シャフト５１のピン挿通孔５２に位置合わせされる。この状態で、これらピン押通孔５２，６２間には、細長円柱状のピン６３（図３参照）が挿入されて、受体５３とシャフト５１とが連結固定される。
【００５０】
なお、この回転ブラシ３４のブラシ部材４１および掻取部材４２は、それぞれブラシ取付部４３およびブレード取付部４７の長手方向における端部が受体５３の先端側に位置する鍔部５６に当接して抜け止め保持される。
【００５１】
一方、吸込口体２３のケース体２４の内部における吸気室２９の後側であり風路室３１の側方には、図２および図３に示すように、モータ６４が収容されている。このモータ６４の先端部には、このモータ６４の駆動により回転する回転軸６５が突出しており、この回転軸６５には同心状にプーリ６６が取り付けられている。このプーリ６６は、吸込口体２３の吸気室２９内に取り付けられた回転ブラシ３４における一方の受体５３の後側に位置しており、この受体５３の回転方向に一致した回転方向を有している。
【００５２】
そして、このプーリ６６と回転ブラシ３３の一方の受体５３とモータ６４の回転軸６５に取り付けられたプーリ６６との間には、無端状のベルト体６７が巻回されている。その結果、モータ６４を駆動させることにより、このモータ６４の回転軸６５の回転によりプーリ６６が回転し、このプーリ６６の回転に伴ってベルト体６７が回転して回転ブラシ３４の一方の受体５３が回転するので、回転ブラシ３４が回転駆動される。
【００５３】
次に、本実施の形態の掃除動作について説明する。
まず、掃除をする際には、掃除機本体１１にホース体１８および延長管２２を介して吸込口体２３を接続する。そして、このホース体１８の把持部２１を持って押動させて、吸込口体２３を床面上で前後に走行させる。
【００５４】
このとき、掃除機本体１１内の電動送風機１２の駆動により発生する吸込力によって、吸込口体２３の吸込口２８から空気とともに床面上の塵埃が吸い込まれる。
【００５５】
さらに、ホース体１８の手許操作部１９に設けた所定の設定ボタン２０をオンして、吸込口体２３の回転ブラシ３４を回転させた場合には、この回転ブラシ３４のブラシ部材４１の回転により、このブラシ部材４１のブラシ毛４４にて床面がブラッシングされる。すなわち、この床面が板の間などである場合には、この床面にこびりついた塵埃が床面から掃き取られて取り除かれて、吸込口体２３の吸込口２８へと吸い込まれる。
【００５６】
同時に、回転ブラシ３４の掻取部材４２の回転により、床面上の塵埃が掃き取られる。すなわち、この床面が絨毯などである場合には、掻取部材４２のブレード４６の掻き出し部４５によって、絨毯の中に入り込んだ塵埃が外部へと掻き出されて取り除かれて、吸込口体２３の吸込口２８へと吸い込まれる。
【００５７】
この後、この吸込口体２３の吸込口２８から塵埃とともに吸い込まれた空気は、この吸込口体２３の吸気室２９および風路室３１を通過した後、この吸込口体２３の連通管３２から延長管２２およびホース体１８を順次介して掃除機本体１１の本体吸込口１７へと吸い込まれた後、この掃除機本体１１内に収容させた集塵パックヘと吸い込まれて空気とともに吸い込んだ塵埃が捕捉される。
【００５８】
また、本実施の形態の回転ブラシ３４においては、受体５３に設けられた係止爪部５５の根元に凹状曲面５５Ａが形成されているので、ねじられたブラシ台３５が元の形状に戻ろうとして、係止凹部３８に嵌合した係止爪部５５に力が作用しても、その力が分散されて、係止爪部５５の基部に応力集中が生じることはない。
【００５９】
ところで、受体５３の係止爪部５５の根元に凹状曲面５５Ａを形成すると、凹状曲面５５Ａがブラシ台３５の係止凹部３８のエッジに干渉する恐れがある。すなわち、係止爪部５５を係止凹部３８に嵌合させて、ブラシ台３５をシャフト５１に固定させる構成であるので、係止爪部５５の幅は係止凹部３８の幅とあまり差が無く、根元に凹状曲面５５Ａが形成された係止爪部５５を係止凹部３８に嵌合させると、凹状曲面５５Ａが係止凹部３８のエッジにぶつかってしまう。
【００６０】
そこで、本実施の形態では、受体５３の一側端面５３Ａ上に凸部５３Ｂが形成されている。このような凸部５３Ｂが形成されていれば、受体５３の係止爪部５５をブラシ台３５の係止凹部３８に嵌合させたときに、凸部５３Ｂがブラシ台３５の端面３５Ａに当接し、これにより、凹状曲面５５Ａが係止凹部３８のエッジに干渉するのを防ぐことができる。
【００６１】
なお、本実施の形態では係止爪部５５は４つ設けられていたが、ブラシ台３５の係合凹部３８と同数であれば、係止爪部５５はいくつあってもよい。
【００６２】
また、ねじり押し出し加工で成形したブラシ台３５（このブラシ台３５は樹脂製またはアルミ等の金属製）であっても、回転ブラシ３４がねじった状態で係止されて取り付けられているので、係止爪部５５へは負荷が掛かっており、本実施の形態の回転ブラシ３４においては、前記負荷による係止爪部５５の折損を効果的に防ぐことができる。
【００６３】
さらに、本実施の形態によれば、受体５３の強度を向上させる効果も期待できる。
【００６４】
【発明の効果】
以上説明したように、本発明によれば、嵌合突起の基部に凹状曲面を形成するとともに、対向面上に取付部材の端面に当接する凸部を形成したので、嵌合突起の基部に過度の力が加わるのを防ぐことができ、その結果、回転清掃体および電気掃除機の吸込口体の信頼性を向上させることが可能となる。
【図面の簡単な説明】
【図１】本発明に係る回転清掃体に用いられる受体の斜視図である。
【図２】本発明に係る吸込口体の内部構成を示した縦断面図である。
【図３】本発明に係る吸込口体の内部構成を示した横断面図である。
【図４】回転ブラシをその中心軸に垂直な面で切ったときの縦断面図である。
【図５】ブラシ台の要部拡大図である。
【図６】ブラシ台の外観斜視図である。
【図７】シャフトの正面図である。
【図８】受体の正面図である。
【図９】図８のＡ１−Ａ２−Ａ３線に沿った断面図である。
【図１０】受体の係止爪部の基部を拡大した断面図である。
【図１１】本発明に係る吸込口体を備えた電気掃除機の斜視図である。
【図１２】従来技術による回転清掃体を説明した図である。
【符号の説明】
１１  掃除機本体
２３  吸込口体
３４  回転ブラシ
３５  ブラシ台
３６  係合凹部
３８  係止凹部
４１  ブラシ部材
４２  掻取部材
５１  シャフト
５３  受体
５３Ｂ  凸部
５５  係止爪部
５５Ａ  凹状曲面
【図１】
2004229970.tif 000003
【図２】
2004229970.tif 000004
【図３】
2004229970.tif 000005
【図４】
2004229970.tif 000006
【図５】
2004229970.tif 000007
【図６】
2004229970.tif 000008
【図７】
2004229970.tif 000009
【図８】
2004229970.tif 000010
【図９】
2004229970.tif 000011
【図１０】
2004229970.tif 000012
【図１１】
2004229970.tif 000013
【図１２】
2004229970.tif 000014